(57)【特許請求の範囲】
【請求項１】
自動定期券発行機の本体から発行される定期券でその本体の設置駅からその定期券の乗車区間まで乗車できないときに、その本体をその本体の設置駅からその定期券の乗車区間内まで乗車できるとともに、下車駅で払戻しを受けることのできる購入済乗車証の発行を行う発行モードに設定する設定手段と、
発行モードに設定されたときに、前記本体に前記購入済乗車証の料金を満たす金銭が投入されることを条件にその購入済乗車証の発行を行う発行制御手段と、
を有することを特徴とする自動定期券発行機。
【発明の詳細な説明】
【０００１】
【発明の属する技術分野】
本発明は、自動定期券発行機に係り、特に、定期券を購入した利用者が定期券発行駅から定期券乗車区間まで乗車できる購入済乗車証を発行することができるようにしたものに関する。
【０００２】
【従来の技術】
近年、人件費の節減等から定期券を発売する駅は、比較的大駅の駅に限られるようになってきている。したがって、定期券発行駅でない駅の定期券利用者は、定期券購入時に、その定期券発行駅までの乗車券（定期券購入乗車券）を購入して乗車し、定期券購入時に定期券購入乗車券の払戻しを受けるようにしている。また、定期券を購入した利用者は、定期券発行駅から定期券の乗車区間まで乗車できる復路用の乗車券の発行を受けて、その乗車券を用いて元の駅まで戻るようにしている。
【０００３】
【発明が解決しようとする課題】
ところで、定期券発行駅においても、定期券発行駅の業務を可能な限り削減するために、利用者操作型の自動定期券発行機が設置されるようになってきているので、上述の定期券購入乗車券の払戻しも係員窓口によらず自動的に行えるようにすることが望まれている。そこで、本出願人は、別途、購入した定期券と定期券購入用乗車券を自動精算機の本体に挿入することにより、定期券購入乗車券を自動的に払戻しする自動精算機を提案している。
【０００４】
しかしながら、定期券の発行を利用者操作型の自動定期券発行機とした場合、定期券の購入者は、復路用の乗車券を購入して乗車しなければならない不都合が発生してしまう。このような不都合を防止するために、定期券の発行とともに復路用の無料の乗車券も自動的に発行できるようにすることも考えられるが、このようにすると、その発行された乗車券が本来の復路用に使用されないことがあり、このため、有料の復路用の乗車券で払戻しの対象となる購入済乗車証の発行できる自動定期券発行機の出現が待たれていた。
【０００５】
そこで、本発明は、上記要望に応えるためになされたものであって、その目的は、有料の購入済乗車証を発行することのできる自動定期券発行機を提供することにある。
【０００６】
【課題を解決するための手段】
本発明に係る自動定期券発行機は、上記目的を達成するために、自動定期券発行機の本体から発行される定期券でその本体の設置駅からその定期券の乗車区間まで乗車できないときに、その本体をその本体の設置駅からその定期券の乗車区間内まで乗車できるとともに、下車駅で払戻しを受けることのできる購入済乗車証の発行を行う発行モードに設定する設定手段と、発行モードに設定されたときに、前記本体に前記購入済乗車証の料金を満たす金銭が投入されることを条件にその購入済乗車証の発行を行う発行制御手段と、を有することを特徴としている。
【０００７】
【発明の実施の形態】
以下、本発明の実施の形態を図面に基づいて説明する。図１は、一実施の形態に係る自動定期券発行機の本体（以下、「本体」という）ａの正面図である。この本体ａの正面中央部には、タッチパネル式の表示画面１と、その表示画面１の左隣りには、係員と応答したいときに押下される呼出釦２ａ及び定期券の購入動作を途中で中止したいときに押下される取消釦２ｂが設けられている。
【０００８】
本体ａの正面の下部上段には、定期券購入代金をプリペイドカード等のカード類で支払うときのカードを挿入するカード挿入口３ａ、その購入代金を紙幣で支払うときの紙幣を挿入する紙幣投入口３ｂ、及びその購入代金を硬貨で支払うときの硬貨を投入する硬貨投入口３ｃが設けられている。なお、本発明では、上述のカード類も金銭に含めている。
【０００９】
本体ａの正面の下部下段には、釣銭硬貨の排出口４ａ、釣札の排出口４ｂ、継続定期券発行の場合の旧定期券を挿入する挿入口５、及び図示しない新たな定期券と購入済乗車証イとが発券される発券口６が設けられている。
【００１０】
図１中、Ｃは、マイクロコンピュータ（ＣＰＵ）を中心に形成された、本体ａを統括的に制御する制御器であって、その電気的構成は図２に示されている。
【００１１】
ＣＰＵ１０は、第１メモリ１１に格納されている定期券発行用の料金データ等の所定のデータ及び第２メモリ１２に格納されている制御プログラムを用いて演算処理を行うように構成されている。また、このＣＰＵ１０は、表示画面１の表示を駆動制御する可変表示部１３と、表示画面１の入力を駆動制御するタッチパネル入力部１４と、硬貨投入口３ｃから投入された硬貨を検銭処理する硬貨処理部１５と、紙幣挿入口３ｂから挿入された紙幣を検銭処理する紙幣処理部１６と、挿入口５に挿入された旧定期券に記録されている磁気データの読取処理を行う定期券処理部１７と、本体ａの裏面側に設けられ、本体ａを発券モード等の各種のモードに設定したり、あるいは本体１の保守点検時に係員によって操作されるテンキーを有する係員操作部１８と、釣銭排出口４ａに釣銭を排出する釣銭処理部１９と、カード挿入口３ａに挿入されたカードを処理するカード処理部２０と、券面に所定の内容を印字するとともに、所定の磁気データを記録して購入済乗車証イを作成して発券口６に発行する発券処理部２１とが接続されている。
【００１２】
上記構成からなる自動定期券発行機の制御動作を図３のフローチャートを用いて説明する。
【００１３】
今、定期券を購入しようとする利用者によって、旧定期券（図示せず）が挿入口５に挿入されると、その旧定期券に記録されているデータが読取られる。その読取られたデータの定期券の乗車区間が本体ａの設置駅を含んでいないとき、又は、本体ａの設置駅が定期券の乗車区間に含まれているが、その定期券の始発駅あるいは着駅でなく、かつ、購入当日が定期券の乗車期間前のとき、つまり、定期券の購入者が本体ａの設置駅から乗車券を購入して戻る必要があるときは（ステップ１００否定。以下、ステップを「Ｓ」とする。）、表示画面１に購入済乗車証の購入案内が行われる（Ｓ１０２、図１の表示画面参照）。
【００１４】
なお、上述の定期券購入の例は、本体ａに挿入された旧定期券に記録されているデータを読取って新たに発行される定期券データとする、継続定期券の場合であるが、新規定期券購入の場合は、表示画面１を介して定期券の乗車区間等の所定のデータが入力される。
【００１５】
また、上述の例では、発行される定期券の乗車区間等に基づいて本体ａを購入済乗車証発行モードに自動的に設定したが、本体ａの接客面又は表示画面１に購入済乗車証を希望するときに押下される釦を設けておき、その釦が押下され、かつ、発行される定期券が購入済乗車証の発行条件を満たすときに、本体ａを購入済乗車証発行モードに設定するようにしてもよい。
【００１６】
さて、表示画面１を介して購入済乗車証を希望する旨の釦が押下されたときに、表示画面１には、定期券の購入代金と購入済乗車証の料金との合計金額が表示される。そして、その表示された金額を満たす金銭が紙幣挿入口３等から投入されると、発券口６から定期券（図示せず）と購入済乗車証イが発行される（Ｓ１０８）。
【００１７】
購入済乗車証イの料金は、本体ａの設置駅から購入する定期券の発駅又は着駅の近い方までを自動的に算出することができる。しかし、定期券を購入する利用者の乗車駅が定期券の乗車区間の途中の場合もあるので、購入済乗車証イの下車駅を定期券の乗車区間内から選択させて、その選択された駅までの料金とすることもできる。
【００１８】
購入済乗車証イは、定期券購入の利用者が下車する駅で払戻しを受けることができる。したがって、購入済乗車証イが定期券購入以外の目的で使用されることを防止することができる。
【００１９】
【発明の効果】
本発明に係る自動定期券発行機は、本体から発行される定期券でその本体の設置駅からその定期券の乗車区間まで乗車できないときに、その本体をその本体の設置駅からその定期券の乗車区間内まで乗車できるとともに、下車駅で払戻しを受けることのできる購入済乗車証の発行を行う発行モードに設定する設定手段と、発行モードに設定されたときに、前記本体に前記購入済乗車証の料金を満たす金銭が投入されることを条件にその購入済乗車証の発行を行う発行制御手段とからなるので、本体から下車駅で払戻しのできる有料の購入済乗車証を発行させることができる。
【図面の簡単な説明】
【図１】本発明の一実施の形態に係る自動定期券発行機の正面図である。
【図２】制御器の電気的構成を示すブロック図である。
【図３】制御動作を示すフローチャートである。
【符号の説明】
１  表示画面
２ａ  呼出釦
２ｂ  取消釦
３ａ  カード挿入口
３ｂ  紙幣挿入口
３ｃ  硬貨投入口
４ａ，４ｂ  排出口
５  発券口
Ｃ  制御器
ａ  定期券発行機の本体（本体）
イ  購入済乗車証
【図１】
0003549384.tif 000002
【図２】
0003549384.tif 000003
【図３】
0003549384.tif 000004